(57)【特許請求の範囲】
【請求項１】
ストロボ装置を内蔵したレンズ付きフイルムユニットにおいて、
第１位置と第２位置と第３位置の順に配列された３つの位置の間で往復方向に移動操作され、前記第１位置では非ストロボ撮影が選択され、前記第２及び第３位置ではストロボ撮影が選択される発光操作部材と、
この発光操作部材の移動操作に機械的に連動して回動し、絞り開口を大小２つの絞り開口のいずれかに切り替える絞り切り替え板と、
前記発光操作部材の移動操作に機械的に連動し、前記ストロボ装置の発光部の前面に位置してストロボ発光量を微光量に減少させる挿入位置と、前記発光部の前面から退避してストロボ発光量を通常光量にする退避位置との間でスライド移動自在な減光フイルタ板とを備え、
前記発光操作部材が第１位置にあるときには、絞り開口が小絞り開口となるように前記絞り切り替え板が位置した日中撮影モードが選択され、
前記発光操作部材が第２位置にあるときには、絞り開口が小絞り開口となるように前記絞り切り替え板が位置し、かつ前記減光フイルタ板を前記退避位置にしてストロボ撮影を行う逆光・真暗撮影モードが選択され、
前記発光操作部材が第３位置にあるときには、絞り開口が大絞り開口となるように前記絞り切り替え板が位置し、かつ前記減光フイルタ板を前記挿入位置に移動してストロボ撮影を行う室内・夜間撮影モードが選択されることを特徴とするレンズ付きフイルムユニット。
【請求項２】
前記減光フイルタ板は、遮光板に複数の開口を形成した穴あきフイルタで構成されていることを特徴とする請求項１記載のレンズ付きフイルムユニット。
【発明の詳細な説明】
【０００１】
【発明の属する技術分野】
本発明は、ストロボ装置の光量を切り替える手段と、絞り開口を切り替える手段とを備えたレンズ付きフイルムユニットに関するものである。
【０００２】
【従来の技術】
手軽に誰でも写真撮影が楽しめる１回使用型の簡易型カメラであるレンズ付きフイルムユニットが普及している。このような１回使用が前提とされているレンズ付きフイルムユニットでは、シャッタスピードや絞り調節等の露出条件を調節する機構等を可能な限り排除して簡易な構造を徹底し、小型化、低価格化を実現している。
【０００３】
一方、レンズ付きフイルムユニットが一般に普及した近年においては、室内や夜間等の被写体光量が少ない撮影場所でも撮影が可能なように、発光量が一定のストロボ装置を内蔵したものが販売される等さまざまな機能が盛り込まれる状況にある。このような付加的な機能に対する要求の増加傾向に対応して、比較的高品質な画像を撮影できるような性能も求められてきている。
【０００４】
しかしながら、高品質な画像を得るためには、撮影場所の明るさ等の露出に与える条件に対応して、よりきめの細かい露出条件の補正が必要であり、このための補正手段をレンズ付きフイルムユニット自体に備えることが必要になる。これに対応するために、コンパクトカメラに採用されているような、被写体光量に応じて絞りとシャッタスピードを調整するプログラムシャッタを採用することも考えられるが、レンズ付きフイルムユニット本体のボディサイズ及びコスト面を考慮すると事実上不可能に近い。
【０００５】
本発明は、上記問題点を考慮してなされたもので、簡単な構造で、被写体の明るさ等の露出条件に対応して適正な露出条件の調節を可能にし、これにより高品質な撮影画像を得られるレンズ付きフイルムユニットを提供することを目的とする。
【０００６】
【課題を解決するための手段】
本発明のレンズ付きフイルムユニットは、前記目的を達成するために、ストロボ装置を発光させるか否かを切り替える発光切り替え手段と、ストロボ装置から被写体に照射されるストロボ光量を通常光量と微光量との間で切り替える光量切り替え手段と、第１〜第３の撮影モードのいずれかを選択するために移動操作される撮影モード選択手段と、この撮影モード選択手段の移動操作に連動して、前記発光切り替え手段と光量切り替え手段とをそれぞれ切り替え動作させ、第１撮影モードではストロボ装置の発光を禁止するように設定し、第２撮影モードではストロボ装置を発光させ、かつ被写体への照射光量を通常光量に設定し、第３撮影モードではストロボ装置を発光させ、かつ被写体への照射光量を微光量に設定する連動手段とを備えたことを特徴とするものである。
【０００７】
また、前記レンズ付きフイルムユニットに、絞り開口を通常の絞り開口と小絞り開口との間で切り替えられる絞り切り替え手段を設け、前記連動手段に連動させて撮影モードの選択を行うようにしたことを特徴とするものである。
【０００８】
【発明の実施の形態】
本発明のレンズ付きフイルムユニット（以下フイルムユニットという。）について以下、図面を参照しながら説明する。図２及び図３に示すフイルムユニット２は、露光機構３及びストロボユニット４が中央に組み付けられた本体基部６と、これを前後から覆う前カバー７及び後カバー８とから構成されるユニット本体と、カートリッジ１１及びカートリッジ１１から引き出してロール形態にした写真フイルム１２とからなる。カートリッジ１１及び写真フイルム１２は、本体基部６の左右に形成されたカートリッジ収納室６ａとフイルム収納室６ｂに製造時点で予め装填される。
【０００９】
前カバー７は、前カバー本体１３と、その前面に組み付けられた絞り切替板１４を覆う前面パネル１６とからなる。この前面パネル１６には、絞り切替板１４を露呈する開口１７と、前カバー本体１３に設けられたファインダ対物窓１８に対応した開口１９が形成される。この前面パネル１６の横には、主としてストロボユニット４の充電のオンオフを行ってストロボ発光の有無を切り替える発光切り替え手段である発光操作部材２１が設けられており、その斜め上方にはストロボ発光部２２を露呈するストロボ発光窓２３が形成されている。
【００１０】
前記絞り切替板１４には、後述するように、異なる口径を持つ大小２つの絞り開口が形成されている。この絞り切替板１４を発光操作部材２１の操作に連動させることにより、２つの絞り開口が選択的に切り替えられて絞り調節が行われるようになっている。また、発光操作部材２１には、ストロボ発光部２２前面に挿脱されるフイルタ板（後述４１、図１及び４参照）も連動するようになっている。このフイルタ板（後述４１）は、ストロボ発光部２２から発光されるストロボ光の一部を吸収して被写体に照射される発光量を減少させるものである。このように、発光操作部材２１の操作に連動してストロボ発光量の調節と絞り調節が行われる。
【００１１】
発光操作部材２１は、ストロボユニット４の充電の開始及び停止を制御できるように上下にスライド自在に設けられている。そのスライド位置は、発光操作部材２１の横に設けられた指標２６ａ、２６ｂ、２６ｃに示すように３段階設けられている。まず、指標２６ａ（図上「ＯＦＦ」で示す）に対応する発光停止位置はストロボ充電を停止する位置であり、被写体光量が十分に確保される場所で撮影を行う時に使用する”日中モード”とされる。なお、製造時にはこの位置にセットされて出荷が行われる。
【００１２】
次に、指標２６ｂ（図上「ＯＮ２」で示す）に対応する通常発光位置は、ストロボ充電を開始する位置であり、ストロボ発光部２２から発光される光量がそのまま被写体に照射される位置で、被写体が逆光にさらされている場所又は被写体光量が極端に少なく真暗に近い場所等で撮影を行う時に使用する”逆光・真暗モード”とされる。
【００１３】
最後に、指標２６ｃ（図上「ＯＮ１」で示す）に対応する微発光位置は、通常発光位置と同様ストロボ充電を開始する位置であるが、同時に、ストロボ発光部２２前面に発光量の一部を吸収するフイルタ板（後述４１）を挿入させることにより、被写体に向けて照射するストロボ発光量の一部を減少させる位置である。この微発光位置は、蛍光灯等の照明下にある室内や、夜間でも外灯やネオンに照らされている場所等の被写体光量が若干不足しているところで撮影を行う時に使用する”室内・夜間モード”とされる。
【００１４】
フイルムユニット２本体上面には、露光ユニット３に設けられたシャッタ機構と連動してシャッタ羽根（図示せず）の開閉を行うシャッタボタン２７、写真フイルム１２の撮影可能枚数を示すフイルムカウンタを露呈するフイルムカウンタ窓２８、ストロボユニット４の充電完了を知らせる充電完了表示窓２９が形成されている。
【００１５】
露光ユニット３は、暗箱部３ａをベースにして撮影レンズ３１，シャッタ羽根を含むシャッタ機構，シャッタチャージ機構，巻き止め機構，フイルムカウンタ板等を組み付けたもので、さらにファインダ光学系を構成する対物及び接眼レンズを保持している。シャッタ機構は周知の蹴飛ばし式のシャッタ羽根で構成され、シャッタスピードは設計時に既定された一定時間で固定される。
【００１６】
ストロボユニット４は、シャッタ機構に連動してストロボ発光を行うためのトリガー信号を発信するシンクロスイッチ３３が設けられた回路基板３４と、ストロボ発光部２２と、給電を行う電池３６とからなる。ストロボ発光部２２から被写体へ照射される発光量は、発光操作部材２１が通常発光位置にある時には、例えば、ガイドナンバー「１０」程度の一定量である。
【００１７】
ストロボの充電は、発光操作部材２１と連動するスイッチ接片３７の回路基板３４への接触によって行われる。スイッチ接片３７と発光操作部材２１の連動は、発光操作部材２１のスライドに伴って、前記部材２１背面に設けた突起（図示せず）でスイッチ接片３７を押圧することによって行われる。この突起は、発光操作部材２１が指標２６ｂ、２６ｃで示される通常発光位置と微発光位置の２位置にある時には、スイッチ接片３７を押圧し、該接片３７を回路基板３４に接触させて充電を開始させ、該操作部材２１が指標２６ａで示される発光停止位置にある時には、該接片３７から離れて、充電が停止されるように形成されている。
【００１８】
本体基部６の中央部には露光枠６ｃが形成され、撮影位置に送られてきた写真フイルム１２の前面で１コマ分の露光範囲を制限する。露光枠６ｃの前方には角筒状に突出した遮光筒６ｄが一体に形成され、本体基部６に露光ユニット３を組み付けることによって、露光ユニット３側の暗箱部３ａと協同して暗箱（図示せず）を構成する。
【００１９】
また、カートリッジ収納室６ａの上部には巻上げノブ３８が設けられ、その下面に一体に形成された巻上げ軸がカートリッジ１１のスプールに係合する。撮影ごとに巻上げノブ３８を回動操作することによって、撮影済みの写真フイルム１２は１コマ分ずつカートリッジ１１に巻き込まれる。このフイルム１コマ巻上げに連動して露光ユニット３に組み込まれたシャッタ機構が次回の撮影のためにチャージされ、またフイルム１コマ給送が完了すると露光ユニット３に組み込まれたロックレバーによって巻上げノブ３８の回動がロックされる。
【００２０】
後カバー８には、この巻き上げノブ３８を一部露出させる開口、ファインダ接眼窓３９が形成され、さらに、カートリッジ収納室６ａ，フイルム収納室６ｂの底部開口を光密に覆う底蓋８ａ，８ｂが一体に形成されている。底蓋８ａは、撮影済みの写真フイルムが巻き込まれたカートリッジ１１を取り出すときに開放される。
【００２１】
図４に示すように、前カバー本体１３と、前面パネル１６の間には、前記絞り切替板１４、発光操作部材２１、フイルタ板４１、連動部材４２とが設けられ、これらが撮影モード切替機構を構成している。絞り切替板１４は、例えば、扇状のプラスチック製の薄板をベースにして構成される。該切替板１４は、その扇の中心方向に中空軸１４ａが設けられており、この中空軸１４ａが、前カバー本体１３側から突設した軸４０と前面パネル１６から突設した軸（図示せず）との間で軸支されることにより、回動自在に保持される。この中空軸１４ａと前面パネル１６側の軸との間にはバネ４３が設けられており、これにより絞り切替板１４は正面から見て反時計方向に回動するように付勢されている。
【００２２】
絞り切替板１４には前述のとおり、大きな口径を持つ大絞り（通常開口）４６と小さな口径を持つ小絞り（小絞り開口）４７が形成されている。絞り切替板１４の回動は、この異なる口径を持つ２つの絞り４６、４７のいずれかが撮影レンズ３１前面に位置するように行われる。前記バネ４３の付勢により小絞り４７が撮影レンズ３１前面にセットされる位置が標準位置とされる。
【００２３】
各絞り４６、４７の口径は、例えば、大絞り４７がほぼ開放に近い４．３ｍｍで、小絞り４７が０．９ｍｍ程度になっている。撮影レンズ３１の焦点距離を現行のレンズ付きフイルムユニットで使用される２４ｍｍとすれば、絞り値（Ｆ値）はそれぞれ、大絞り４６時で約５．６、小絞り４７時で約２７となる。
【００２４】
また、絞り切替板１４の上方には、扇の一辺から中空軸１４ａ方向にかけて、遮光片１４ｂが設けられており、この遮光片１４ｂによってファインダ開口側から撮影レンズ３１側へ侵入する光を遮っている。中空軸１４ａの側方には、この遮光片１４ｂ側から延長された被押圧部１４ｃが設けられている。この被押圧部１４ｃで連動部材４２の回動による押圧を受けることにより、絞り切替板１４の回動が行われる。
【００２５】
連動部材４２は、この発光操作部材２１と絞り切替板１４を連動させる「へ」の字形の部材であり、「ヘ」の字形状の屈曲部に中空軸４２ａを設けて、絞り切替板１４と同様に、前カバー本体１３と前面パネル１６との間で軸設される。また、バネ４４によって絞り切替板１４とは反対に、正面から見て時計方向に回動するように付勢されている。
【００２６】
発光操作部材２１は、操作部４８と支持部４９とからなり、支持部４９に形成された長円形状の溝４９ａと前カバー本体１３に設けられた軸５０とが係合することにより、スライド自在に保持される。図示しないが、この溝４９ａには各スライド位置に対応した３つのクリックが設けられており、発光操作部材２１が各スライド位置で止まるように構成されている。支持部４９の下方横側には押圧部４９ｂが設けられており、この押圧部４９ｂが発光操作部材２１の上方へのスライドに伴って連動部材４２の一端４２ｂを押圧する。この押圧による連動部材４２の回動によって他端４２ｃが絞り切替板１４の被押圧部１４ｃを押圧し、絞り切替板１４を回動させる。これにより絞り切替が行われる。
【００２７】
また、支持部４９の上面部はテーパ面４９ｃになっている。このテーパ面４９ｃが、発光操作部材２１を”室内・夜間モード”位置へスライドした時に、ストロボ光量を調節するフイルタ板４１と係合し、このフイルタ板４１をストロボ発光部２２の前面を覆う位置へ横方向にスライドさせる。
【００２８】
フイルタ板４１は、例えば、濃度０．１から０．３程度のＮＤフイルタで形成されており、ストロボ発光部２２から被写体へ向けて発光するストロボ光の光量を前記濃度にしたがってガイドナンバーを１〜４程度まで減少させる。
【００２９】
フイルタ板４１はストロボ発光部２２の形状に対応した矩形状で構成されており、その裏面の正面から見て左端には、前カバー本体１３側に設けられたスライドガイド５１とスライド自在に係合する軸４１ａ、４１ｂが上下に２本形成されている。フイルタ板４１の正面から見て右端は、ストロボ発光窓２３の側面に設けられたフイルタ開口５２に一部挿入されて支持される。
【００３０】
発光操作部材２１とストロボ光量の調節を行うフイルタ板４１の連動は、前記テーパ面４９ｃと下側の軸４１ｂとの係合によって次のように行われる。軸４１ｂは、発光操作部材２１が上方へスライドすると、そのテーパ面４９ｃから押圧を受ける。この押圧を受けながら、軸４１ｂがテーパ面４９ｃにしたがってストロボ発光部２２の方向へスライドする。この結果、フイルタ板４１がストロボ発光部２２の前面に移動する。また、上側の軸４１ａには、バネ５３が設けられており、このバネ５３によって、フイルタ板４１は、ストロボ発光部２２の前面から退避した標準位置に付勢されている。これにより、発光操作部材２１が下方へスライドされ、テーパ面４９ｃが軸４１ｂから離れている時には、フイルタ板４１は、標準位置にセットされる。
【００３１】
以下、上述の発光操作部材２１の３つのスライド位置と、絞り切替板１４及びフイルタ板４１の位置との相関関係を説明する。まず、図１（Ａ）に示すように、発光操作部材２１が指標２６ａ（図上「ＯＦＦ」）で示す発光停止位置にある時（図中実線で示す）には、押圧部４９ｂと連動部材４２、テーパ面４９ｃと軸４１ｂはそれぞれ接触位置にない。このため、絞り切替板１４は、バネ４３の付勢により小絞り４７が撮影レンズ３１の前面にくる位置にあり、フイルタ板４１もバネ５３の付勢によりストロボ発光部２２前面から退避した位置にある。この”日中モード”での撮影は、ストロボ発光は無く、絞りは小絞り４７で行われる。
【００３２】
次に、発光操作部材２１が指標２６ｂ（図上「ＯＮ２」）で示す通常発光位置にある時（図中一点鎖線で示す）にはストロボユニット４への充電が開始される。他方、押圧部４９ｂと連動部材４２、テーパ面４９ｃと軸４１ｂはそれぞれ接触位置にないので、小絞り４７が撮影レンズ３１前面に位置し、フイルタ板４１も退避位置にある。この”逆光・真暗モード”での撮影は、ストロボが予め設定された一定量で通常発光され、絞りは小絞り４７で行われる。
【００３３】
最後に、図１（Ｂ）に示すように、発光操作部材２１が指標２６ｃ（図上「ＯＮ１」）で示す微発光位置にある時には、押圧部４９ｂと連動部材４２、テーパ面４９ｃと軸４１ｂはそれぞれ接触して連動が行われる。まず、押圧部４９ｂによって反時計方向に回動された連動部材４２が被押圧部１４ｃを押圧して絞り切替板１４を時計方向に回動させる。これにより、撮影レンズ３１の前面から小絞り４７が上方へ退避して大絞り４６が撮影レンズ３１前面にセットされる。一方、テーパ面４９ｃも上方のスライドにより軸４１ｂを押圧する。このテーパ面４９ｃからの押圧を受けることにより、軸４１ｂはスライドガイド５１とテーパ面４９ｃにしたがって正面からみて右方向にスライドする。
【００３４】
これにより、フイルタ板４１は、スライドガイド５１に沿ってストロボ発光部２２を覆う前面位置にセットされる。また、通常発光位置と同様にストロボユニット４への充電も行われる。この”室内・夜間モード”での撮影は、ストロボ発光部２２前面に位置するフイルタ板４１によって減少したストロボ光と、大絞り４６で行われる。
【００３５】
以下、上記実施形態の作用について説明する。まず、撮影者は、巻き上げノブ３８を回動して、写真フイルム１１の１コマ巻き上げを行って露光枠６ｃに写真フイルム１コマをセットする。この巻き上げと同時にシャッタチャージが行われる一方、巻き上げロック機構が作動して巻き上げノブ３８の回動がロックされる。
【００３６】
次に、被写体の明るさに応じて撮影モードの切替を行う。日中の屋外撮影等、被写体光量が十分に確保される場所で撮影を行う場合には”日中モード”が選択される。撮影者は、発光操作部材２２が指標２６ａで示す発光停止位置にあることを確認する。この時、絞り切替板１４は標準位置にあり、撮影レンズ３１の前面には小絞り４７がセットされている。フイルタ板４１も標準位置にあり、ストロボ発光部２２の前面から退避した位置にある。
【００３７】
ファインダ接眼窓３９でフレーミングを行った後、シャッタボタン２７を押下する。シャッタ押下によりシャッタ羽根が開閉し、被写体光が小絞り４７を通って撮影レンズ３１から暗箱内に入射する。この被写体光が露光枠６ｃにセットされた写真フイルム１２に結像する。この”日中モード”では、小絞り４７で撮影を行っているからＦ値が大きくなっている。そして、シャッタスピードは固定であるから、結果、露出値が下がることになる。しかし、撮影場所は日中の屋外であるから被写体光量は十分に確保されて適正な露出量が得られる。一方、Ｆ値が大きくなることにより、現行のレンズ付きフイルムユニットに比較して、シャープネスの高い画像を得ることができる。
【００３８】
被写体が、逆光にさらされている場所又は被写体光量が極端に少なく真暗に近い場所で撮影を行う時には、”逆光・真暗モード”が選択される。撮影者は、発光操作部材２１を指標２６ｂで示す通常発光位置にスライド移動してセットする。これにより、ストロボユニット４の充電が開始される。通常発光位置においても、絞り切替板１４及びフイルタ板４１の位置は”日中モード”と同様であり、小絞り４７がセットされ、フイルタ板４１は退避位置にある。
【００３９】
撮影者は、充電完了表示窓２９でストロボユニット４の充電完了を確認した後、シャッタボタン２７を押下する。シャッタ開閉によりシンクロスイッチ３３が作動してストロボ発光部２２から被写体に向けてストロボ光が照射される。このストロボ光の反射光を含む被写体光が小絞り４７、撮影レンズ３１を通って写真フイルム１２に結像する。この”逆光・真暗モード”では、小絞り４７で撮影を行っているからＦ値が大きくなっている。しかし、ストロボ光が通常の発光量で発光されるので、真暗な撮影場所においても露出値は十分に確保され、約１０ｍ程度の距離まで明るく撮影ができる。また、被写体が逆光にさらされている場合にも通常の発光量のストロボ光により被写体が照射されるから、被写体像が真黒になることなく明瞭な被写体像を得ることができる。
【００４０】
被写体光量が若干不足している蛍光灯等の照明下にある室内や夜間でも外灯やネオンに照らされている場所等で撮影を行う時には、”室内・夜間モード”が選択される。撮影者は、発光操作部材２１を指標２６ｃで示す微発光位置にスライドさせる。この時、発光操作部材２１の上方へのスライドに伴いフイルタ板４１が横方向へスライドし、ストロボ発光部２２の前面にセットされる。他方、押圧部４９ｂと連動部材４２との連動により、絞り切替板１４も回動されて、大絞り４６が撮影レンズ３１の前面に移動する。また、ストロボユニット４への充電は微発光位置においても通常発光位置と同様に行われる。
【００４１】
撮影者は、ストロボの充電完了を確認後、フレーミングを行ってシャッタボタン２７を押下して撮影を行う。シャッタ羽根開閉によりシンクロスイッチ３３が作動してストロボ発光が行われる。この時、ストロボ発光部２２の前面にはフイルタ板４１がセットされているため、被写体へ照射されるストロボ光量はフイルタ板４１に吸収されて減少する。この減少されたストロボ光によって被写体は照射され、その反射光を含む被写体光が写真フイルム１２に結像する。
【００４２】
上述のように、”室内・夜間モード”では、ストロボ光が通常発光量よりも減少する一方、絞りが大絞り４７になっているためＦ値も小さくなる。また、撮影場所が室内にあっては蛍光灯等の明かり、又室外にあっては外灯やネオンの明かりによって被写体自体も多少照らされていることから適正な露出値が得られる。さらに、ストロボ光の光量を少なくして、絞りを開放に近い状態にするため、背景の明かりがストロボ光によって殺されることなく撮影され、また、遠い場所の被写体を撮影する場合においても感度が高く明るい写真が撮影される。
【００４３】
以上、図示した実施形態にしたがって本発明について説明してきたが、本発明は、その他にも種々変形が可能である。
【００４４】
上記実施形態では、選択可能な３つの撮影モードを、”日中モード”，”室内・夜間モード”，”逆光・真暗モード”として説明している。この内、ストロボを通常発光し、絞り開口を小絞りに設定する”逆光・真暗モード”を、絞り開口を大絞り（通常の絞り開口）に設定するようにして、”遠距離撮影モード”としてもよい。この”遠距離撮影モードでは、小絞りの場合に比較して、感光量が増加するので撮影可能距離が長くなる。このため、遠距離の被写体を撮影するのに適している。
【００４５】
また、上記実施形態では、ストロボ光量切り替え手段に加えて、絞り切り替え手段が設けられている例で説明しているが、絞り切り替え手段を設けずに、ストロボ発光のオン・オフと、ストロボ光量の切り替えだけにしてもよい。この場合、３つの撮影モードは、それぞれ、発光禁止モード，通常発光モード，微発光モードとして設定される。これによれば、絞り切り替え手段が設けられていない分、フイルムユニットの構造をより簡単化することができる。
【００４６】
また、ストロボ光量切り替え手段として、ＮＤフイルタを使用した形で説明したが、例えば、図５に示すように、穴あきフイルタ６１を用いてもよい。穴あきフイルタ６１は、例えば、プラスチック製の遮光板６２で成形され、これに複数の開口６３が設けられている。ストロボ発光部２２から発光されるストロボ光は、複数の開口６３からのみ被写体へ照射される。これにより、ストロボ光量を減少させることができる。被写体へ照射される光量は、この複数の開口６３の大きさや数を変更して、調節される。この他、フイルタ板としては、半透明の白色板等を使用してもよい。
【００４７】
さらに、ストロボ光量切り替え手段としては、フイルタ板の挿脱に限らず、図６に示すように、ストロボ光量の調節を電気的に行うストロボ回路７６が組み込まれたストロボ装置を用いてもよい。ストロボ回路７６は、電池３６，昇圧用トランス等が接続された昇圧回路７７と、メインコンデンサ，トリガー用トランス，シンクロスイッチ等が接続されたトリガー回路７８と，放電管７９，抵抗８１及びストロボ光量を切り替える切り替えスイッチ８２とからなる。
【００４８】
切り替えスイッチ８２は、放電管７９と直列に接続される抵抗８１をスイッチングによって切り替えるためのものである。前記切り替えスイッチ８２がオンされると、抵抗８１が放電管７９と直列に接続される。抵抗８１の接続により、放電管７９の端子間の電圧降下が生じて、放電管７９に放電される電流が減少する。このため、ストロボ光量が減少して、微発光する。
【００４９】
切り替えスイッチ８２は、発光操作部材２１と連動して操作される。これにより、発光操作部材２１のスライド操作によって、ストロボ発光禁止，ストロボ光微発光，ストロボ光通常発光の三段階のモードが選択される。
【００５０】
また、予め設定するストロボ発光量のガイドナンバーを１０とし、フイルタ板によってガイドナンバーを１〜４程度に減少させるものとして説明したが、それぞれの値はこれらの値に限られない。絞り口径の値も含めてさまざまな組み合わせが可能である。
【００５１】
なお、上記実施形態では、写真フイルムとして、ＩＸ２４０型のカートリッジを使用した例で説明しているが、１３５型のカートリッジでもよい。
【００５２】
【発明の効果】
以上のように、本発明のレンズ付きフイルムユニットは、発光切り替え手段と、光量切り替え手段と、第１〜第３の撮影モードのいずれかを選択するために移動操作される撮影モード選択手段とを備え、この撮影モード選択手段の移動操作に連動する連動手段を設けたから、撮影場所や被写体の明るさ等に対応して適正な露出条件の調節を可能にし、これにより高品質な撮影画像を得られるレンズ付きフイルムユニットを提供することができる。さらに、これに加え、絞り切り替え手段を設けることにより、より適正な露出条件の調節が可能になる。
【００５３】
また、前記絞り切り替え手段を、前記連動手段により撮影光路内で移動して絞り開口を切り替える絞り切り替え板で構成すれば、簡単な構造を実現することができる。さらに、前記光量切り替え手段を、前記連動手段によりストロボ装置の発光部の前面に挿脱されるフイルタ板で構成すれば、同様に、簡単な構造を実現することができる。これによれば、既存のレンズ付きフイルムユニットで使用されている発光量が一定のストロボ装置を流用することができるので、コスト面での効果も期待できる。
【００５４】
また、ストロボ光量を減少させるモードを選択できるようにしたことにより、室内や夜間等でストロボ撮影を行った時に人の目が赤く撮影されるといういわゆる赤目現象を少なくすることができる。
【図面の簡単な説明】
【図１】絞り切替板、フイルタ板、発光操作部材の連動を示す説明図である。
【図２】本発明のレンズ付きフイルムユニットの外観斜視図である。
【図３】本発明のレンズ付きフイルムユニットの分解斜視図である。
【図４】本発明のレンズ付きフイルムユニットの前カバーの分解斜視図である。
【図５】穴あきフイルタを示す説明図である。
【図６】光量切り替え機能を有するストロボ回路を示す説明図である。
【符号の説明】
１４  絞り切替板
２１  発光操作部材
２２  ストロボ発光部
３１  撮影レンズ
４１  フイルタ板
４２  連動部材
４６  大絞り
４７  小絞り
【図１】
0003922500.tif 000002
【図２】
0003922500.tif 000003
【図３】
0003922500.tif 000004
【図４】
0003922500.tif 000005
【図５】
0003922500.tif 000006
【図６】
0003922500.tif 000007